(57)【要約】【課題】  掃除機本体が走行中に障害物に接触した場合、従来に比べて障害物に引っかかりにくく、軽微な操作、操作力で容易に障害物を回避することのできるホースユニットの本体接続部又は掃除機本体を備えた電気掃除機を提供する。【解決手段】  内部に集塵室や電動送風機を有する掃除機本体１と、ホース２１の一端に掃除機本体１の接続口に着脱自在に装着される本体接続部２２を有し他端に操作部２３が設けられたホースユニット２０と、このホースユニット２０の操作部２３に着脱自在に接続される延長管２４及び延長管２４に着脱自在に接続される吸込具２５とを備え、本体接続部２２又は掃除機本体１に、掃除機本体１の走行中に接触した障害物を回避できる摺接部４１ａ，４１ｂを備えたガイド部４０を設けた。【選択図】      図１
2005318977.tif 000002
【特許請求の範囲】
【請求項１】
内部に集塵室や電動送風機を有する掃除機本体と、ホースの一端に該掃除機本体の接続口に着脱自在に装着される本体接続部を有し他端に操作部が設けられたホースユニットと、該ホースユニットの操作部に着脱自在に接続される延長管及び該延長管に着脱自在に接続される吸込み具とを備え、
前記本体接続部に、前記掃除機本体の走行中に接触した障害物を回避できる摺接部を備えたガイド部を設けたことを特徴とする電気掃除機。
【請求項２】
前記ガイド部を、前記本体接続部の両側に設けられて常時は該本体接続部とほぼ平行に保持され、該本体接続部を前記掃除機本体の接続口に接続したときは拡張して先端部が前記掃除機本体の前面に当接又は近接する摺接部によって構成したことを特徴とする請求項１記載の電気掃除機。
【請求項３】
前記本体接続部を本体挿入部と該本体挿入部より大径のホース接続部とを一体に形成して両者の間にストッパ当接部を設けると共に、前記本体挿入部の周壁の両側に先端部から前記ストッパ当接部に達する案内溝を設け、
該案内溝の延長線上において、基部が前記ホース接続部に回動自在に連結され、先端部近傍がアームの一端に回動自在に連結された摺接部と、前記アームの他端に連結され前記案内溝に摺動自在に配設されたストッパ素子とを有し、前記摺接部とアームとの間に両者を前記本体接続部側に付勢する付勢手段を設けたガイド部を備えたことを特徴とする請求項２記載の電気掃除機。
【請求項４】
前記掃除機本体の接続口の外周に、該接続口に前記本体接続部を挿入したときに前記ストッパ素子が当接するストッパ受け部を設けたことを特徴とする請求項３記載の電気掃除機。
【請求項５】
前記本体接続部に嵌入しうる内径の接続管を有し、該接続管の両側に前記掃除機本体側が幅広で平面ほぼ三角形状の摺接部を設けてなるガイド部を有し、該ガイド部を前記本体接続部に着脱可能に装着したことを特徴とする請求項１記載の電気掃除機。
【請求項６】
内部に集塵室や電動送風機を有する掃除機本体と、ホースの一端に該掃除機本体の接続口に着脱自在に装着される本体接続部を有し他端に操作部が設けられたホースユニットと、該ホースユニットの操作部に装着自在に接続される延長管及び該延長管に着脱自在に接続される吸込み具とを備え、
前記掃除機本体に、該掃除機本体の走行中に接触した障害物を回避できる摺接部を備えたガイド部を設けたことを特徴とする電気掃除機。
【請求項７】
前記掃除機本体の前面板の前面側に、前記本体接続部が挿入しうる内径で前記前面板の接続口に連通する接続管を突設し、該接続管の両側において該接続管と前記前面板との間に前記掃除機本体側が幅広で平面ほぼ三角形状の摺接部を有するガイド部を設け、前記前面板を前記掃除機本体の前面に取付けるようにしたことを特徴とする請求項６記載の電気掃除機。
【請求項８】
前記本体接続部が挿入しうる内径の接続管を有し、該接続管の両側に前記掃除機本体側が幅広で平面ほぼ三角形状の摺接部を設けてなるガイド部を備え、該ガイド部を前記掃除機本体の前面板に着脱可能に装着したことを特徴とする請求項６記載の電気掃除機。
【請求項９】
前記ガイド部に設けた摺接部の掃除機本体側及び側面を、前記掃除機本体の前面及び側面の形状に対応した形状に形成したことを特徴とする請求項１〜８のいずれかに記載の電気掃除機。
【請求項１０】
前記ガイド部の摺接部の開き角を９０°以内としたことを特徴とする請求項１〜９のいずれかに記載の電気掃除機。
【請求項１１】
前記ガイド部の摺接部の側面、及び掃除機本体の側面の少なくとも一部に高摺動性素材によるコーティングを施したことを特徴とする請求項１〜１０のいずれかに記載の電気掃除機。
【請求項１２】
前記ガイドの摺接部の掃除機本体側の側面を、該掃除機本体の側面と滑らかに連なるように形成したことを特徴とする請求項１〜１１のいずれかに記載の電気掃除機。
【発明の詳細な説明】
【技術分野】
【０００１】
本発明は、電気掃除機に係り、さらに詳しくは、ホースユニットの本体接続部又は掃除機本体に、掃除機本体の走行中に接触した障害物を回避することのできるガイド部を備えた電気掃除機に関するものである。
【背景技術】
【０００２】
従来の電気掃除機に、集塵室や電動送風機を内蔵する電気掃除機の本体と、この本体に前方より着脱自在に接続されるホースユニットと、このホースユニットに接続される延長管と、この延長管に接続される床ノズルとを具備し、ホースユニットの本体接続部は、筒状の管と、この管に前方から包着したホースと、この包着部を覆う一体のホースカバーとを有し、ホースカバーの上方に把手を一体に形成したものがある（例えば、特許文献１参照）。
【０００３】
【特許文献１】特許第３００６６００号公報（第２−３頁、図２、図５）
【発明の開示】
【発明が解決しようとする課題】
【０００４】
従来の電気掃除機は、ホースユニットの本体接続部が管状（円筒状）に形成されており、この本体接続部を掃除機本体に前面と直交して接続するようになっているため、本体接続部の外周の両側と掃除機本体の前面との間に段差部（Ｌ字の角部）が存在する。
このため、掃除の際に掃除機本体が走行するときに、例えば家具や部屋入口の壁面などの障害物がこの段差部に当たると、掃除機本体が停止して走行できなくなり、その都度手で動かさなければならないので、掃除の作業性が著しく低下する。
【０００５】
本発明は、上記の課題を解決するためになされたもので、掃除機本体が走行中に障害物に接触した場合、従来に比べて障害物に引っかかりにくく、軽微な操作、操作力で容易に障害物を回避することのできるホースユニットの本体接続部又は電気掃除機本体を備えた電気掃除機を提供することを目的としたものである。
【課題を解決するための手段】
【０００６】
本発明に係る電気掃除機は、掃除機本体の接続口に接続されるホースユニットの本体接続部又は掃除機本体に、掃除機本体の走行中に障害物に接触したときにこれを回避できるガイド部を設けたものである。
【発明の効果】
【０００７】
本発明は、ホースユニットの本体接続部又は掃除機本体にガイド部を設けたので、掃除機本体の走行中に障害物に接触しても引掛りにくく、軽微な操作、操作力で容易に障害物を回避することができるため、清掃の作業性を高め、使い勝手のよい電気掃除機を得ることができる。
【発明を実施するための最良の形態】
【０００８】
［実施の形態１］
図１は本発明の実施の形態１に係る電気掃除機の全体構成を示す斜視図、図２は図１の掃除機本体及びホースユニットの本体接続部の平面図、図３は図２の側面図である。
電気掃除機本体１（以下、掃除機本体という）の前面側にはホースユニット２０が接続される接続口２が設けられており、その内部の後方（以下の説明では、図の左側（走行方向）を前、右側を後という）には、吸引した空気と塵埃を分離して塵埃を捕集する集塵室３が設けられている。また、集塵室３の後方には集塵室３で捕集できなかった塵埃を捕集するためのバックアップフィルタ４が設けられており、さらにその後方には電動送風機５が設置されている。６は掃除機本体１の後壁に設けた排気口である。そして、掃除機本体１の底面には走行方向に対して回転自在に前輪７が取付けられており、両側面には後輪８が設けられている。９は両側面に設けたシーリングバッファで、例えばゴム系の素材からなり、表面には抵抗の低いフッ素系のコーティングを施して高摺動性の表面処理が施されている。
【０００９】
ホースユニット２０のホース２１の一端には掃除機本体１の接続口２に接続する本体接続部２２が設けられており、他端には操作部２３が設けられている。そして操作部２３には着脱自在に延長管２４が接続され、延長管２４の先端部には着脱自在に吸込み具２５が接続されている。
【００１０】
図４は一部を断面で示したホースユニットの本体接続部の平面図、図５は図４の側面図、図６は図５の右側面図である。
本体接続部２２は、後部側に設けられて掃除機本体１の接続口２に挿入され、集塵室３内に開口する本体挿入部２６と、前部側に設けられてホース２１が接続される本体接続部２６より大径のホース接続部２７とを一体に形成したもので、本体挿入部２６とホース接続部２７との間にはストッパ当接部２８が形成されている。
【００１１】
そして、本体挿入部２６の左右対称位置には案内溝２９ａ，２９ｂが設けられており、また、ホース接続部２７の前端部から長手方向のほぼ中央までの間には、案内溝２９ａ，２９ｂと同一線上に、前側が低く後側になるにしたがって徐々に高くなって側面ほぼ三角形状の案内リブ３０ａ，３０ｂが突設されている。３１ａ，３１ｂ（３１ａは図示せず）は案内リブ３０ａ，３０ｂの後側に、これと直交して設けられたウイング台座で、案内リブ３０ａ，３０ｂの延長線上には切欠き溝３２が設けられている。
【００１２】
４１ａ，４１ｂは本体接続部２２の外周の左右対称位置に設けられたガイド部４０の摺接部を構成するウイングで、平面ほぼ長方形で断面ほぼコ字状に形成され、先端部（後側）は掃除機本体１の前面側の形状に対応した形状に形成されて、表面には高摺動性の表面処理が施されており、先端部には軟質材４２が取付けられている。
４３はウイング４１ａ，４１ｂの幅方向の中央部において内側に突設された固定リブで、一端（前側）はウイング台座３１ａ，３１ｂの切欠き溝３２内に挿入され、ピン４４により回動自在に支持されている。
【００１３】
４５ａ，４５ｂはアームで、一端（前側）はウイング４１ａ，４１ｂの固定リブ４３にピン４６により回動自在に支持されており、他端には案内溝２９ａ，２９ｂ内に摺動自在に配設されたストッパ素子４７ａ，４７ｂがピン４８により回動可能に連結されている。４９ａ，４９ｂ（４９ｂは図示せず）は固定リブ４３とアーム４５ａ，４５ｂとの間に分裂された板ばねの如き弾性体からなる付勢手段で、ウイング４１ａ，４１ｂ及びアーム４５ａ，４５ｂを本体接続部２２の中心部側に向けて常時付勢している。
【００１４】
５０ａ，５０ｂはホース接続部２７の前端部から本体挿入部２６の長手方向のほぼ中央部までの上下対称位置に突設された配線ガイドで、上部の配線ガイド５０ａの前端部の近傍から後部側にかけてスリット５２により係止片５３が形成されており、先端部（後側）には後部側が下方に傾斜したロック爪５４が突設され、基部５１側にはロックボタン５５が設けられている。そして、このロックボタン５５を圧下することにより、係止片５３は基部５１を支点として先端部が下降し、ロック爪５４が下方に変位するようになっている。なお、下部の配線ガイド５０ｂは省略してもよい。５６は配線ガイド部５０ａの先端部（後部側）に設けられ、ホースユニット２０の操作部２３と掃除機本体１内に設けた電源部（図示せず）とを接続する一対の接続ピンで、ホース２１から操作部２３に設けられた配線（図示せず）に接続されている。
【００１５】
次に、図７〜図１０により本実施の形態に係る本体接続部２２に設けたガイド部４０の作用を説明する。なお、図には本体接続部２２に接続されるホース２１は省略してある。
初期状態においては、本体接続部２２のウイング４１ａ，４１ｂ及びアーム４５ａ，４５ｂは、図７に示すように、付勢手段４９ａ，４９ｂに付勢されて本体接続部２２とほぼ平行に保持されている。
【００１６】
先ず、本体接続部２２を手に持って、図７に示すように本体挿入部２６を掃除機本体１の接続口２に挿入すると、ストッパ素子４７ａ，４７ｂが接続口２の前面側外周に設けたストッパ受け部１１に当接する。
そして、本体接続部２２をさらに押し込むと、ストッパ素子４７ａ，４７ｂはこれ以上前進できずその位置に保持されているため、図８に示すように、本体接続部２２は本体挿入部２６に設けた案内溝２９ａ，２９ｂにより、ストッパ素子４７ａ，４７ｂに沿って前進する。このため、ストッパ素子４７ａ，４７ｂに連結されたアーム４５ａ，４５ｂは、付勢手段４９ａ，４９ｂに抗してピン４８を中心に回動して立ち上り、ピン４６によりアーム４５ａ，４５ｂに連結されたウイング４１ａ，４１ｂもピン４４を中心に回動して立ち上り、左右方向に拡張する。
【００１７】
さらに本体接続部２２を押し込むと、図９に示すように、本体挿入部２６とホース接続部２７との間に形成されたストッパ当接部２８にストッパ素子４７ａ，４７ｂが当接し、停止する。このとき、本体挿入部２６の先端部は集塵室３内に位置し、ウイング４１ａ，４１ｂの先端部に設けた軟質材４２が掃除機本体１の前面部１０に当接し（又は近接して位置し）、ウイング４１ａ，４１ｂの側面（表面）が掃除機本体１の前面から側面（シーリングバッファ９）にかけて滑らかに連続する。このときのウイング４１ａ，４１ｂの開き角θは９０°以下となるように設定されている（以下の実施の形態においても同様である）。
【００１８】
また、本体接続部２２の前進により接続口２の外周に設けた縁部によってロック爪５４が圧下されて下方に変位し、図１０に示すように接続口２の縁部に設けた係止部１２の位置に達して元の状態に戻り、ロック爪５４が係止部１２に係止する。これにより、本体接続部２２はその位置にロックされ、接続口２から抜け出すことはない。
【００１９】
ホース２１、したがって本体接続部２２を掃除機本体１から取外す場合は、ロックボタン５５を圧下し、ロック爪５４を係止部１２から外してロックを解除し、この状態で本体接続部２２を手前に引けば、容易に引き抜くことができる。
本体接続部２２を接続口２から引き抜くと、付勢手段４９ａ，４９ｂの付勢力によりストッパ素子４７ａ，４７ｂはアーム４５ａ，４５ｂを介して案内溝２９ａ，２９ｂ内を先端部方向（後部側）に移動し、これに伴ってアーム４５ａ，４５ｂ及びウイング４１ａ，４１ｂも互いに本体接続部２２の中心部側に回動し、図４の状態に戻る。
【００２０】
次に、本実施の形態に係る電気掃除機の作用について説明する。
先ず、ホースユニット２０の本体接続部２２を持って、その本体挿入部２６を掃除機本体１の接続口２に挿入し、接続する。このとき、本体挿入部２６は掃除機本体１の集塵室３（又は集塵室３内に設けた集塵体）内に開口し、本体接続部２２に設けたロック爪５４は、図１０に示すように接続口２の縁部に設けた係止部１２に係止する。また、図９に示すように、ウイング４１ａ，４１ｂの後端部に設けた軟質材４２が掃除機本体１の前面部１０に当接し又は近接して位置し、ウイング４１ａ，４１ｂの表面は掃除機本体１の前面部１０又は側壁（シーリングバッファ９を含む）と滑らかに連続する。ついで、掃除機本体１に設けたコード（図示せず）を電源に接続する。
【００２１】
そして、操作部２３に設けた電源スイッチをＯＮすると、電動送風機５が駆動され、これによって発生する吸引気流によって床などの塵埃が空気と共に吸込具２５から吸引され、延長管２４、ホースユニット２０を経て掃除機本体１内へ送られる。掃除機本体１へ送られた塵埃は、集塵室３で空気と塵埃に分離され、塵埃は集塵室３に捕集される。塵埃と分離された空気は、バックアップフィルタ４でさらにろ過されて清浄な空気となり、電動送風機５を経て排気口６から排出される。
【００２２】
清掃作業は作業者が操作部２３を手に持って行うが、作業者が操作部２３を持って移動するに伴いホース２１に引張られて掃除機本体１も移動（走行）する。
掃除機本体１が移動する際に、走行方向の前方に例えば椅子の脚などの障害物があると、図９に示すように、この障害物１００は本体接続部２２のウイング４１ａ（又は４１ｂ−以下４１とする）の側面に接触するため、掃除機本体１の前面が障害物１００に引っ掛ったりすることがない。
【００２３】
すなわち、ウイング４１に障害物１００が接触すると、引続き掃除機本体１を移動させることにより、ウイング４１の側面が障害物１００に沿って移動するため、掃除機本体１に回転力が働き、前輪７の向きが変って掃除機本体１の姿勢が変化し、走行方向が変る。この場合、ウイング４１の開き角θが９０°以下であるため、ホース２１の引張り力の回頭力への変化効率が高まり、軽い操作力で回頭が行われる。また、ウイング４１の側面に設けたシーリングバッファ９の表面には、高摺動性の表面処理が施されているため、障害物１００と接触した際に大きな摩擦抵抗が生じない。
【００２４】
このように、掃除機本体１はウイング４１に障害物１００が接触しながら姿勢を変化させ、障害物１００を回避しながら移動する。そして、障害物１００はウイング４１から外れると掃除機本体１の側面と接触するが、ウイング４１の側面と掃除機本体１の側面（シーリングバッファ９）は、滑らかに連続する形状になっているため、この側面の変り目に障害物１００が引掛ることはない。なお、シーリングバッファ９が設けられていない場合は、掃除機本体１の両側面の少なくとも前面側に、高摺動性の表面処理を施すことが望ましい（以下の実施の形態においても同様である）。
【００２５】
前述のように、特許文献１に記載された従来の電気掃除機においては、障害物１００が掃除機本体１の前面に接触すると回頭がしにくいため、掃除機本体１が障害物１００に引掛って走行が停止してしまうので、掃除作業性が著しく低下する。本実施の形態においては、上述のようにホースユニット２０の本体接続部２２にガイド部４０を設けたので、このような問題は発生しない。
【００２６】
以上の説明から明らかなように、本実施の形態によれば、ホースユニット２０の本体接続部２２にガイド部４０を設けたことにより、掃除機本体１が走行時に前方の障害物１００に引掛って停止することなく走行できる。また、ガイド部４０の開き角度θを９０°以下とすることにより掃除機本体１の回頭力を強くでき、軽い操作力で障害物１００を回避することができ、さらに、掃除機本体１の側面に設けたシーリングバッファ９に高摺動性の表面処理を施したので、軽い操作力で操作が可能である。また、ウイング４１の側面と掃除機本体１の側面とを滑らかに連なるようにしたので、面の変り目に障害物１００が引掛ることがない等、従来の電気掃除機に比べて掃除の作業性を大幅に向上することができる。
【００２７】
また、本体接続部２２を掃除機本体１の接続口２に差込むと、ウイング４１ａ，４１ｂが自動的に開いてロックされ、ロックを解除して接続口２から引抜くとウイング４１ａ，４１ｂが自動的に収縮して本体接続部２２とほぼ平行に保持されるので、操作がきわめて簡単で使い勝手のよい電気掃除機を得ることができる。
さらに、不使用時はウイング４１ａ，４１ｂは上記のように収縮して小スペースとなるため、移動や収納さらには梱包に便利である。
【００２８】
［実施の形態２］
図１１は本発明の実施の形態２に係る電気掃除機の掃除機本体及びホースユニットの本体接続部の平面図、図１２はその側面図、図１３は図１１の要部の平断面図である。なお、実施の形態１と同じ部分にはこれと同じ符号を付し、説明を省略する。
実施の形態１では、ホースユニット２０の本体接続部２２に、ガイド部４０を直接設けた場合を示したが、本実施の形態は、ガイド部６０を本体接続部２２と別体に形成したものである。
【００２９】
図１１〜図１３において、６０はホースユニット２０の本体接続部２２に着脱可能に装着されたガイド部で、図１４（ａ）に示すように、例えば硬質樹脂材料からなり、本体接続部２２のホース接続部２７の外径とほぼ等しい内径で、ほぼ等しい長さの円筒状の接続管６１を有し、接続管６１の下部は長手方向にスリット状に切断されて、その両側には複数のねじ挿通孔６３を有する固定片６２ａ，６２ｂが対向して垂下している。
【００３０】
また、上部の長手方向には、断面ほぼコ字状で前後に開口し、本体接続部２２の配線ガイド５０ａが挿入されるガイド突条６４が突設されており、上面には配線ガイド５０ａに設けた係止片５３のロック爪５４及びロックボタン５５が露出する開口部６５が設けられている。
６６ａ，６６ｂは接続管６１の両側の対称位置に突設されて摺接部を構成する案内部で、先端部（後部側）がほぼロ字状に開口して掃除機本体１の前面部の形状に対応した形状で平面幅広に形成され、前面側になるにしたがって接続管６１側に収斂されて平面ほぼ三角形状に形成されており、側面は凹状の円弧状に形成されて高摺動性の表面処理が施されている。
【００３１】
上記のように構成したガイド部６０は、図１３に示すように、本体接続部２２の本体挿入部２６側から案内部６６ａ，６６ｂを水平にし、配線ガイド５０ａをガイド突部６４内に挿入しながら接続管６１を押し込んで位置決めし、下部に設けた固定片６２ａ，６２ｂのねじ挿入孔６３にねじを挿入してナットで固定する。これにより、ガイド部６０はホースユニット２０の本体接続部２２に一体的に取付けられる。このとき、本体接続部２２に設けた係止片５３のロック爪５４及びロックボタン５５は、ガイド突条６４の開口部６５から露出する。
【００３２】
上記のようにしてガイド部６０が取付けられたホースユニット２０の本体接続部２２は、図１３に示すように、その本体挿入部２６が掃除機本体１の接続口２に挿入され、係止片５３のロック爪５４が接続口２の近傍に設けた係止部１２（図１０参照）に係止し、接続される。
このとき、案内部６６ａ，６６ｂの先端部（後部側）が掃除機本体１の前面部１０に当接又は近接して位置し、側壁は掃除機本体１の前面部１０から側面（又はシーリングバッファ９）にかけて滑らかに連続する。
【００３３】
図１４（ｂ）はガイド部６０の他の例を示すもので、図１４（ａ）の案内部６６ａ，６６ｂに代えて、接続管６１の両側に対向しかつ水平に、それぞれ平面ほぼ三角形状の１個又は複数個（図には４個の場合が示してある）の案内リブ６７ａ，６７ｂを設けて摺接部を形成したものである。本例においては、ガイド部６０の先端部（後部側）を直線状に形成し、側端部を凸状の円弧状に形成した場合が示してある。なお、案内リブ６７ａ，６７ｂの側端部に高摺動性の表面処理を施してもよく、また先端部（後部側）に軟質材を取付けてもよい。
【００３４】
上記の各例では、ガイド部６０を、接続管６１の下部を長手方向にスリット状に切断してその両側に固定片６２ａ，６２ｂを設け、本体接続部２２に嵌入して固定片６２ａ，６２ｂをねじ止めして固定する場合を示したが、例えば接続管６１を円筒状に形成し、本体接続部２２と接続管６１のいずれか一方に係止部を設け、他方にこの係止部に係止する係止爪を設けて、ガイド部６０を本体接続部２２に挿入し、係止爪を係止部に係止して固定するなど、他の手段を用いてもよい。
本実施の形態によれば、実施の形態１の場合とほぼ同様の作用、効果が得られるが、さらに、ホースユニット２０の本体接続部２２及びガイド部６０の構造を簡単にすることができる。
【００３５】
［実施の形態３］
図１５は本発明の実施の形態３に係る電気掃除機の掃除機本体及びホースユニットの本体接続部の平面図、図１６は図１５の側面部、図１７は図１５の要部の平断面図である。なお、実施の形態１と同じ部分にはこれと同じ符号を付し、説明を省略する。
実施の形態１，２においては、ガイド部４０，６０をホースユニット２０の本体接続部２２に設けた場合を示したが、本実施の形態は、ガイド部を掃除機本体１に設けたものである。
【００３６】
図１５〜図１７において、１３は掃除機本体１の上蓋、１４はハンドル、１５はホースユニット２０の本体接続部２２が接続される接続口１６を有し、前面側にガイド部７０が設けられて掃除機本体１の前面側にねじ止めされたインレット（以下、前面板という）である。
【００３７】
ガイド部７０は前面板１５と一体に形成されており、図１８に示すように、前面板１５の前面側には接続口１６と連通する接続管７１が突設されている。この接続管７１は、その内径がホースユニット２０の本体接続部２２の外径とほぼ等しく形成され、上部には本体接続部２２の配線ガイド５０ａが挿入される開口部７２が設けられている。
【００３８】
７３ａ，７３ｂは接続管７１の両側に、対向しかつ水平に設けられたそれぞれ１個又は複数個（図には、それぞれ３個設けた場合が示してある）の摺接部を形成する案内リブで、この案内リブ７３ａ，７３ｂは平面ほぼ三角形状で、２辺が前面板１５及び接続管７１と一体に形成され、側面は凸状の円弧状に形成されている。なお、この側面に高摺動性の表面処理を施してもよい。
【００３９】
上記のように構成したガイド部７０を有する前面板１５は、図１７に示すように、掃除機本体１の前面に配設してねじで固定される。これにより、ガイド部７０は掃除機本体１の前面に突出して配置され、案内リブ７３ａ，７３ｂは水平に保持されて、その先端部（後部側）は掃除機本体１の側面（又はシーリングバッファ９）と滑らかに連続する。
【００４０】
そして、ホースユニット２０の本体接続部２２を、ガイド部７０の接続管７１から前面板１５の接続口１６に挿入する。同時に接続管７１の開口部７２に配線ガイド５０ａが挿入され、係止片５３のロック爪５４が前面板１５に設けた係止部（図示せず）に係止し、本体接続部２２はロックされる。
ホースユニット２０を掃除機本体１から取外すときは、係止片５３のロックボタン５５を圧下してロック爪５４を係止部から外し、ロックを解除して本体接続部２２を手前に引けばよい。
本実施の形態の作用、効果は、実施の形態１の場合とほぼ同様である。
【００４１】
［実施の形態４］
図１９は本発明の実施の形態４に係る電気掃除機の掃除機本体の正面図、図２０は図１９の要部の平断面図である。なお、実施の形態１と同じ部分にはこれと同じ符号を付し、説明を省略する。
本実施の形態も実施の形態３の場合と同様に、掃除機本体１にガイド部８０を設けたものであるが、ガイド部８０を前面板１５と別体に形成したものである。
【００４２】
前面板１５にはホースユニット２０の本体接続部２２が挿入される接続口１６が設けられており、接続口１６の外周前面側には複数の係止片１７が設けられている。また、掃除機本体１の前面側には複数の係止接片１８が設けられている。
【００４３】
ガイド部８０は、本体接続部２２の外径とほぼ等しい内径で、組立時に前面板１５の接続口１６に連通する接続管８１を有し、その基部（前面板１５側）には、前面板１５の係止片１７に対応して、係止孔８３を有する複数の係合片８２が設けられている。
また、接続管８１の先端部（前部側）の両側には、接続管８１の後方まで延設された上下が幅広で側壁が凸状の円弧状に形成された平面ほぼ三角形状の摺接部８５ａ，８５ｂが設けられており、摺接部８５ａ，８５ｂの先端部（後部側）には、掃除機本体１に設けた係止接片１８に係止する係止溝８６が設けられている。なお、摺接部８５ａ，８５ｂの側面に高摺動性の外面処理を施してもよい。
【００４４】
上記のように構成したガイド部８０は、これに設けた係合片８２の係止孔８３を前面板１５の係止片１７に係止させることにより、前面板１５と一体化される。このとき、接続管８１は前面板１５の接続口１６と同一線上に位置する。
そして、この前面板１５を掃除機本体１の前面にねじ止めして取付ける。このとき、摺接部８５ａ，８５ｂに設けた係止溝８６が掃除機本体１に設けた係止接片１８に嵌合して係止され、その側面は掃除機本体１の側面（又はシーリングバッファ９）に滑らかに連続する。
【００４５】
ホースユニット２０を掃除機本体に接続する場合は、本体接続部２２をガイド部８０の接続管８１から前面板１５の接続口１６に挿入して接続する。このとき、接続管８１の開口部８４に配線ガイド５０ａが挿入され、そのロック爪５４が前面板１５に設けた係止部（図示せず）に係止してロックされ、ロックボタン５５は開口部８４から露出する。
ホースユニット２０を掃除機本体１から取外す場合は、ロックボタン５５を圧下してロック爪５４を係止部から外し、ロックを解除して本体接続部２２を手前に引けばよい。
本実施の形態の作用、効果は、実施の形態１の場合とほぼ同様である。
【００４６】
上記の説明では、図示の電気掃除機に本発明を実施した場合を示したが、掃除機本体とホースユニットからなるものであれば、他の構造の電気掃除機にも本発明を実施することができる。
また、ガイド部に各種の形状、構造の摺接部を設けた場合を示したが、これに限定するものではなく、本発明の作用、効果が得られるものであれば、他の形状、構造の摺接部であってもよい。
さらに、摺接部の先端部（掃除機本体側）の形状及び両側面の形状も、これを使用する掃除機本体の前面部及び側面（又はシーリングバッファ）の形状に合わせて適宜変更することができる。
【図面の簡単な説明】
【００４７】
【図１】本発明の実施の形態１に係る電気掃除機の全体構成を示す斜視図である。
【図２】図１の掃除機本体及びホースユニットの本体接続部の平面図である。
【図３】図２の側面図である。
【図４】図２の本体接続部の一部を断面で示した平面図である。
【図５】図４の側面図である。
【図６】図４の正面図である。
【図７】実施の形態１の作用説明図である。
【図８】実施の形態１の作用説明図である。
【図９】実施の形態１の作用説明図である。
【図１０】実施の形態１の作用説明図である。
【図１１】本発明の実施の形態２に係る電気掃除機のホースユニットの本体接続部と掃除機本体の平面図である。
【図１２】図１１の側面図である。
【図１３】図１の要部の平断面図である。
【図１４】図１１のガイド部及び他の例のガイド部の斜視図である。
【図１５】本発明の実施の形態３に係る電気掃除機のホースユニットの本体接続部と掃除機本体の平面図である。。
【図１６】図１５の側面図である。
【図１７】図１５の要部の平断面図である。
【図１８】図１５の前面板とガイド部の斜視図である。
【図１９】本発明の実施の形態４に係る電気掃除機の掃除機本体の正面図である。
【図２０】図１９の要部の平断面図である。
【符号の説明】
【００４８】
１  掃除機本体、２  接続口、９  シーリングバッファ、１１  ストッパ受け部、１５  前面板、１６  接続口、２０  ホースユニット、２１  ホース、２２  本体接続部、２８  ストッパ当接部、２９ａ，２９ｂ  案内溝、４０  ガイド部、４１ａ，４１ｂ  摺接部を形成するウイング、４５ａ，４５ｂ  アーム、４７ａ，４７ｂ  ストッパ素子、５０ａ，５０ｂ  配線ガイド、５３  係止片、５４  ロック爪、５５  ロックボタン、６０  ガイド部、６１  接続管、６６ａ，６６ｂ  摺接部を形成する案内部、７０  ガイド部、７１  接続管、７３ａ，７３ｂ  摺接部を形成する案内リブ、８０  ガイド部、８１  接続管、８５ａ，８５ｂ  摺接部。
【図１】
2005318977.tif 000003
【図２】
2005318977.tif 000004
【図３】
2005318977.tif 000005
【図４】
2005318977.tif 000006
【図５】
2005318977.tif 000007
【図６】
2005318977.tif 000008
【図７】
2005318977.tif 000009
【図８】
2005318977.tif 000010
【図９】
2005318977.tif 000011
【図１０】
2005318977.tif 000012
【図１１】
2005318977.tif 000013
【図１２】
2005318977.tif 000014
【図１３】
2005318977.tif 000015
【図１４】
2005318977.tif 000016
【図１５】
2005318977.tif 000017
【図１６】
2005318977.tif 000018
【図１７】
2005318977.tif 000019
【図１８】
2005318977.tif 000020
【図１９】
2005318977.tif 000021
【図２０】
2005318977.tif 000022